(57)【特許請求の範囲】
【請求項１】
多重極イオントラップ内でイオンを処理するための方法であって、前記方法は、
第２の多重極ロッドセットに対して直列に配置された第１の多重極ロッドセットを提供することであって、各多重極ロッドセットは、第１の端部および第２の端部を有し、前記イオンは、前記第１の多重極ロッドセットの前記第１の端部を通して、前記第１の多重極ロッドセットおよび前記第２の多重極ロッドセットに導入される、ことと、
前記第１の多重極ロッドセットおよび前記第２の多重極ロッドセット内にＲＦ場を生成することにより、前記イオンを閉じ込めることであって、前記第１の多重極ロッドセットおよび前記第２の多重極ロッドセット内の前記ＲＦ場は、前記第１の多重極ロッドセットの前記第２の端部と前記第２の多重極ロッドセットの前記第１の端部との間の相互作用領域内で相互作用することにより、前記第１の多重極ロッドセットから前記第２の多重極ロッドセットに向かう方向で減少する場強度を有する漏れ電場を生成する、ことと、
前記第２の多重極ロッドセットの前記第２の端部において障壁場を生成することにより、前記第２の多重極ロッドセットの前記第２の端部から前記第１の多重極ロッドセットに向かって前記イオンの少なくとも一部をはね返すことと、
励起されたイオンの少なくとも一部が前記漏れ電場によって前記第２の多重極ロッドセットの前記第２の端部に向かって戻るように反発されるように、前記第２の多重極ロッドセット内で前記はね返されたイオンを励起させることと
を含み、
前記第１の多重極ロッドセットおよび前記第２の多重極ロッドセットは、中心軸に沿って軸方向に整列されることにより、直列に配置されており、
前記中心軸と前記第１の多重極ロッドセットの複数のロッドとの間の距離は等しく、前記中心軸と前記第２の多重極ロッドセットの複数のロッドとの間の距離は等しく、
前記中心軸と前記第１の多重極ロッドセットの複数のロッドとの間の距離は、前記中心軸と前記第２の多重極ロッドセットの複数のロッドとの間の距離よりも小さい、方法。
【請求項２】
前記はね返されたイオンの少なくとも一部は、前記第１の多重極ロッドセットに射出される、請求項１に記載の方法。
【請求項３】
前記励起されたイオンの少なくとも一部は、前記第１の多重極ロッドセットに射出される、請求項２に記載の方法。
【請求項４】
前記はね返されたイオンを励起させることは、前記第２の多重極ロッドセットに補助励起信号を印加することにより、選択されたｍ／ｚを有するイオンを共鳴励起させることを含み、前記補助励起信号は、前記選択されたｍ／ｚを有する前記イオンの永年周波数に実質的に一致する周波数を有する補助ＡＣ波形を含み、前記補助ＡＣ波形は、双極励起場を生成し、前記選択されたｍ／ｚを有する前記イオンは、前記漏れ電場によって反発される、請求項１に記載の方法。
【請求項５】
前記第２の多重極ロッドセット内の前記ＲＦ場は、前記第２の多重極ロッドセットの前記第２の端部に隣接する抽出領域内の前記障壁場と相互作用することにより、前記第１の多重極ロッドセットから前記第２の多重極ロッドセットに向かう方向で減少する場強度を有する第２の漏れ電場を生成し、前記補助ＡＣ波形は、前記選択されたｍ／ｚを有する前記イオンの少なくとも一部を前記第２の多重極ロッドセットの前記第２の端部から選択的に射出し、前記障壁場は、ＤＣ場である、請求項４に記載の方法。
【請求項６】
前記第１の多重極ロッドセットおよび前記第２の多重極ロッドセット内に前記ＲＦ場を生成することは、前記第１の多重極ロッドセットに印加されるＲＦ波形が前記第２の多重極ロッドセットに印加されるＲＦ波形と同一であるように、前記第１の多重極ロッドセットおよび前記第２の多重極ロッドセットのそれぞれに前記ＲＦ波形を印加することを含む、請求項１に記載の方法。
【請求項７】
前記第１の多重極ロッドセットおよび前記第２の多重極ロッドセット内に前記ＲＦ場を生成することは、前記第１の多重極ロッドセットに第１のＲＦ波形を印加することと、前記第２の多重極ロッドセットに第２のＲＦ波形を印加することとを含み、前記第１のＲＦ波形および前記第２のＲＦ波形は、互いに異なり、前記第１のＲＦ波形は、前記第２のＲＦ波形より大きい振幅を有し、前記第１の多重極ロッドセットおよび第２の多重極ロッドセットのロッドは、四重極ロッドである、請求項１に記載の方法。
【請求項８】
選択されたｍ／ｚを有するイオンに対して、前記第１の多重極ロッドセットに対するｑ値は、前記第２の多重極ロッドセットに対するｑ値よりも大きい、請求項１に記載の方法。
【請求項９】
前記第２の多重極ロッドセットのｑ値に対する前記第１の多重極ロッドセットのｑ値の比率は、約１．１〜約１．３の範囲内である、請求項８に記載の方法。
【請求項１０】
前記第１の多重極ロッドセットと第２の多重極ロッドセットとの間でＤＣ電位を生成することをさらに含み、前記ＤＣ電位を調節することにより、前記漏れ電場を変調することをさらに含む、請求項１に記載の方法。
【請求項１１】
多重極イオントラップ内でイオンを処理するための方法であって、前記方法は、
直列に配置された第１の多重極ロッドセットおよび第２の多重極ロッドセット内にＲＦ軸方向閉じ込め場を生成することであって、前記第１の多重極ロッドセットに対して前記第２の多重極ロッドセットによって呈されるｑ値の比率は、任意のｍ／ｚに対して、１よりも大きく、前記第１の多重極ロッドセットおよび前記第２の多重極ロッドセット内の前記ＲＦ軸方向閉じ込め場は、前記第１の多重極ロッドセットと前記第２の多重極ロッドセットとの間の相互作用領域内で相互作用することにより、前記第１の多重極ロッドセットから前記第２の多重極ロッドセットに向かう方向で減少する場強度を有する漏れ電場を生成する、ことと、
前記第１の多重極ロッドセットを通して、前記第２の多重極ロッドセットに向かってイオンを伝送することと、
増加した半径方向振動振幅を有するイオンの少なくとも一部が前記漏れ電場によって反発されるように、前記第１の多重極ロッドセット内のイオンの少なくとも一部の半径方向振動振幅を増加させることと
を含み、
前記第１の多重極ロッドセットおよび前記第２の多重極ロッドセットは、中心軸に沿って軸方向に整列されることにより、直列に配置されており、
前記中心軸と前記第１の多重極ロッドセットの複数のロッドとの間の距離は等しく、前記中心軸と前記第２の多重極ロッドセットの複数のロッドとの間の距離は等しく、
前記中心軸と前記第１の多重極ロッドセットの複数のロッドとの間の距離は、前記中心軸と前記第２の多重極ロッドセットの複数のロッドとの間の距離よりも小さい、方法。
【請求項１２】
前記第１の多重極ロッドセットを通して伝送されるイオンの少なくとも一部は、前記第１の多重極ロッドセット内のイオンの少なくとも一部の半径方向振動振幅を増加させる間、前記第２の多重極ロッドセットに軸方向に射出される、請求項１１に記載の方法。
【請求項１３】
前記ｑ値の比率は、約１．１〜約１．３の範囲内である、請求項１１に記載の方法。
【請求項１４】
前記半径方向振動振幅を増加させることは、前記第１の多重極ロッドセット内の前記イオンの少なくとも一部を共鳴励起させることを含み、前記第１の多重極ロッドセット内の前記イオンの少なくとも一部を共鳴励起させることは、補助励起信号を前記第１の多重極ロッドセットに印加することを含み、前記補助励起信号は、選択されたｍ／ｚを有するイオンの永年周波数に実質的に一致する周波数を有する補助ＡＣ波形を含む、請求項１１に記載の方法。
【請求項１５】
質量分析計システムであって、
イオン源と、
第１の端部と第２の端部との間に延在する第１の多重極ロッドセットであって、前記第１の端部は、前記イオン源からイオンを受け取るためのものである、第１の多重極ロッドセットと、
第１の端部と第２の端部との間に延在する第２の多重極ロッドセットであって、前記第２の多重極ロッドセットに対して前記第１の多重極ロッドセットによって呈されるｑ値の比率は、任意のｍ／ｚに対して、１よりも大きい、第２の多重極ロッドセットと、
前記第１の多重極ロッドセットおよび前記第２の多重極ロッドセットに結合されたコントローラであって、前記コントローラは、
（ｉ）前記第１の多重極ロッドセットおよび前記第２の多重極ロッドセットのうちの少なくとも１つにＲＦ波形を印加することにより、前記第１の多重極ロッドセットおよび前記第２の多重極ロッドセットのそれぞれの内にＲＦ軸方向閉じ込め場を生成することであって、前記ＲＦ軸方向閉じ込め場は、前記第１の多重極ロッドセットと前記第２の多重極ロッドセットとの間の相互作用領域内で相互作用することにより、前記第１の多重極ロッドセットから前記第２の多重極ロッドセットに向かう方向で減少する場強度を有する漏れ電場を生成する、ことと、
（ｉｉ）前記第２の多重極ロッドセットの前記第２の端部において障壁場を生成することと、
（ｉｉｉ）前記第１の多重極ロッドセットと前記第２の多重極ロッドセットとの間にＤＣ電位を生成することと、
（ｉｖ）前記第２の多重極ロッドセットに補助ＡＣ波形を印加することであって、これにより、励起されたイオンの少なくとも一部が前記漏れ電場によって前記第２の多重極ロッドセットの前記第２の端部に向かって戻るように反発されるように、前記補助ＡＣ波形は、前記障壁場からはね返されたイオンを励起させる、ことと
を行うように構成されている、コントローラと、
前記第２の多重極ロッドセットの前記第２の端部から射出されるイオンを検出するための検出器と
を備え、
前記第１の多重極ロッドセットおよび前記第２の多重極ロッドセットは、中心軸に沿って軸方向に整列されることにより、直列に配置されており、
前記中心軸と前記第１の多重極ロッドセットの複数のロッドとの間の距離は等しく、前記中心軸と前記第２の多重極ロッドセットの複数のロッドとの間の距離は等しく、
前記中心軸と前記第１の多重極ロッドセットの複数のロッドとの間の距離は、前記中心軸と前記第２の多重極ロッドセットの複数のロッドとの間の距離よりも小さい、システム。
【請求項１６】
前記励起されたイオンの少なくとも一部は、前記第１の多重極ロッドセットに射出される、請求項１５に記載のシステム。
【請求項１７】
前記補助ＡＣ波形は、選択されたｍ／ｚを有するイオンの永年周波数に実質的に一致する周波数を有し、前記補助ＡＣ波形は、双極励起場を生成し、前記第２の多重極ロッドセット内の前記ＲＦ軸方向閉じ込め場は、前記第２の多重極ロッドセットの前記第２の端部に隣接する抽出領域内の前記障壁場と相互作用することにより、前記第１の多重極ロッドセットから前記第２の多重極ロッドセットに向かう方向で減少する場強度を有する第２の漏れ電場を生成し、前記補助ＡＣ波形は、前記選択されたｍ／ｚを有する前記イオンの少なくとも一部を前記第２の多重極ロッドセットの前記第２の端部から選択的に射出するように構成されており、前記選択されたｍ／ｚを有する前記イオンは、前記漏れ電場によって反発される、請求項１５に記載のシステム。
【請求項１８】
前記コントローラは、前記第１の多重極ロッドセットに印加されるＲＦ波形が前記第２の多重極ロッドセットに印加されるＲＦ波形と同一であるように、前記第１の多重極ロッドセットおよび前記第２の多重極ロッドセットのそれぞれに前記ＲＦ波形を印加することにより、前記第１の多重極ロッドセットおよび前記第２の多重極ロッドセットのそれぞれの内にＲＦ軸方向閉じ込め場を生成するように構成されており、前記第１の多重極ロッドセットおよび前記第２の多重極ロッドセットは、中心軸に沿って軸方向に整列されており、前記中心軸と前記第１の多重極ロッドセットのロッドとの間の距離は、前記中心軸と前記第２の多重極ロッドセットのロッドとの間の距離よりも小さい、請求項１５に記載のシステム。
【請求項１９】
前記コントローラは、前記第１の多重極ロッドセットに第１のＲＦ波形を印加することにより、前記第１の多重極ロッドセット内にＲＦ軸方向閉じ込め場を生成し、前記第２の多重極ロッドセットに異なる第２のＲＦ波形を印加するように構成されており、前記第１のＲＦ波形は、前記第２のＲＦ波形よりも大きい振幅を有し、前記コントローラは、前記ＤＣ電位を調節することにより、前記漏れ電場を変調するように構成されている、請求項１５に記載のシステム。
【請求項２０】
前記第２の多重極ロッドセットのｑ値に対する前記第１の多重極ロッドセットのｑ値の比率は、約１．１〜約１．３の範囲内である、請求項１５に記載のシステム。
【発明の詳細な説明】
【技術分野】
【０００１】
（関連出願）
本願は、２０１１年１２月２９日に出願された、米国仮出願第６１／５８１，２７８号に対する優先権を主張するものであり、該仮出願の全体は、参照により本明細書中に援用される。
【０００２】
本発明は、質量分析に関し、より具体的には、線形無線周波数多重極イオントラップ内におけるイオンの分離のための方法および装置に関する。
【背景技術】
【０００３】
質量分析（ＭＳ）は、定量的および定質的用途の両方を有する、試験物質の元素組成を判定するための分析技法である。例えば、ＭＳは、その断片化を観察することによって、未知の化合物を識別するため、分子中の元素の同位体組成を判定するため、および特定の化合物の構造を判定するため、ならびに試料中の特定の化合物の量を定量化するために有用であり得る。
【０００４】
質量分析では、イオン源が、典型的には、１つ以上の質量分析器による下流処理のために、試料からイオンを発生させる。しかしながら、従来のイオン源によって発生されるイオンの多くは、分析にあまりまたは全く有用ではない。実際、そのような不純物イオンの存在は、多くの場合、最適性能を犠牲にして、イオントラップ内の全体的電荷密度を増加させる役割を果たす。故に、具体的イオン種を単離する質量分析計システムの能力は、質量分析における重要な特徴である。
【０００５】
多くの望ましくない不純物イオンは、当技術分野において公知の種々の単離技法によって排除されることができるが（例えば、ＲＦ／ＤＣ質量分解モードにおいて、すなわち、線形イオントラップ内で動作する、四重極フィルタであって、これは、半径方向に、望ましくない種を射出する、または質量選択的に、選択された標的イオンを軸方向に射出することができる）、以前の単離技法は、多くの場合、標的イオンを１ａｍｕ未満だけ標的イオンと異なる分子量を有する実質的等重イオンからは分解不可能である。さらに、そのような技法の質量分解能は、空間電荷の効果によって影響を受け得、調和ＲＦ場を歪曲させ、共鳴励起されたイオンの振動周波数を変化させ得る。
【発明の概要】
【発明が解決しようとする課題】
【０００６】
故に、改良された質量選択性を有する、質量分析計システムおよび方法の必要性が残っている。
【課題を解決するための手段】
【０００７】
一側面によると、本出願人の教示のある実施形態は、線形無線周波数多重極イオントラップ内でイオンを処理するための方法に関する。本方法によると、第１の多重極ロッドセットは、第２の多重極ロッドセットと縦一列に位置付けられることができ、各ロッドセットは、第１の端部および第２の端部を有する。本方法は、該第１のロッドセットの第１の端部を通して、第１および第２のロッドセットにイオンを導入するステップを含むことができる。ＲＦ場が、イオンを半径方向に閉じ込めるように、第１および第２のロッドセット内で発生されることができ、ＲＦ場は、第１のロッドセットの第２の端部と第２のロッドセットの第１の端部との間の相互作用領域内で相互作用し、漏れ電場を生成する。本方法はまた、該イオンの少なくとも一部を第２のロッドセットの第２の端部から、第１のロッドセットに向かってはね返すように、障壁場を該第２のロッドセットの第２の端部において発生させるステップを含むことができる。はね返されたイオンは、励起されたイオンの少なくとも一部が、第２のロッドセットの第２の端部に向かって戻るよう漏れ電場によって反発されるように、第２のロッドセット内で励起されることができる。
【０００８】
本出願人の教示の種々の実施形態のある側面によると、はね返されたイオンの少なくとも一部は、該第１のロッドセットに射出されることができる。いくつかの側面では、励起されたイオンの少なくとも一部は、該第１のロッドセットに射出されることができる。いくつかの側面では、はね返されたイオンを励起させるステップは、選択されたｍ／ｚを有するイオンを共鳴励起させるように、補助励起信号を第２のロッドセットに印加するステップを含むことができる。種々の実施形態では、補助励起信号は、実質的に、選択されたｍ／ｚを有するイオンの永年周波数に一致する周波数を有する、補助ＡＣ波形を含むことができる。いくつかの側面では、補助ＡＣ波形は、双極励起場を発生させる。種々の実施形態では、第２のロッドセット内のＲＦ場は、第２のロッドセットの第２の端部に隣接する抽出領域内の障壁場と相互作用し、第２の漏れ電場を生成することができ、補助ＡＣ波形は、選択的に、選択されたｍ／ｚを有するイオンの少なくとも一部を第２のロッドセットの第２の端部から射出する。一例として、障壁場は、ＤＣ場であることができる。
【０００９】
本出願人の教示の種々の実施形態のある側面によると、選択されたｍ／ｚを有するイオンは、漏れ電場によって反発される。いくつかの実施形態では、ＲＦ場を第１および第２のロッドセット内で発生させるステップは、同じＲＦ波形を第１および第２のロッドセットのそれぞれに印加するステップを含むことができる。種々の側面では、第１および第２のロッドセットは、中心軸に沿って軸方向に整合されることができる。いくつかの実施形態では、中心軸と第１のロッドセットのロッドとの間の距離は、中心軸と第２のロッドセットのロッドとの間の距離未満である。
【００１０】
本出願人の教示の種々の実施形態のある側面によると、ＲＦ場を第１および第２のロッドセット内で発生させるステップは、第１のＲＦ波形を第１のロッドセットに、第２のＲＦ波形を第２のセットに印加するステップを含むことができ、第１および第２のＲＦ波形は、異なる。いくつかの側面では、第１のＲＦ波形は、第２のＲＦ波形より大きい振幅を有する。種々の実施形態では、第１のＲＦ波形は、第２のＲＦ波形より小さい周波数を有することができる。
【００１１】
本出願人の教示の種々の実施形態のある側面によると、選択されたｍ／ｚを有するイオンに対して、第１のロッドセットに対するｑ値は、第２のロッドセットに対するｑ値を上回ることができる。いくつかの側面では、第１のロッドセットのｑ値と第２のロッドセットのｑ値の比率は、約１．１〜約１．３の範囲内であることができる。
【００１２】
本出願人の教示の種々の実施形態のある側面によると、第１と第２のロッドセットとの間にＤＣ電位が、発生されることができる。種々の側面では、本方法は、ＤＣ電位を調節し、漏れ電場を変調させるステップを含むことができる。
【００１３】
種々の側面では、第１および第２の多重極ロッドセットは、四重極ロッドセットを備えることができる。
【００１４】
一側面によると、本出願人の教示のある実施形態は、線形イオントラップ内でイオンを処理するための方法に関する。本方法によると、第１の多重極ロッドセットは、第２の多重極ロッドセットと縦一列に位置付けられることができ、第１のロッドセットに対して第２のロッドセットによって呈されるｑ値の比率は、１を上回る。ＲＦ半径方向閉じ込め場は、第１および第２のロッドセット内で発生されることができ、ＲＦ軸方向閉じ込め場は、漏れ電場を生成するように、第１と第２のロッドセットとの間の相互作用領域内で相互作用する。本方法はまた、第１のロッドセットを通して、該第２のロッドセットに向かってイオンを伝送するステップと、励起されたイオンの少なくとも一部が、漏れ電場によって反発されるように、第１のロッドセット内のイオンの少なくとも一部の半径方向振動振幅を増加させるステップとを含むことができる。
【００１５】
種々の側面では、第１のロッドセットを通して伝送されるイオンの少なくとも一部は、該励起されるイオンの励起の間、第２のロッドセットに軸方向に射出されることができる。いくつかの側面では、ｑ値の比率は、約１．１〜約１．３の範囲内である。いくつかの側面では、半径方向振動振幅を増加させるステップは、第１のロッドセット内のイオンの少なくとも一部を共鳴励起させるステップを含むことができる（例えば、補助励起信号を第１のロッドセットに印加するステップを介して）。種々の側面では、補助励起信号は、実質的に、選択されたｍ／ｚを有するイオンの永年周波数に一致する周波数を有する、補助ＡＣ波形を含むことができる。
【００１６】
一側面によると、本出願人の教示のある実施形態は、質量分析計システムに関する。本システムは、イオン源と、イオン源からイオンを受け取るための第１の端部と第２の端部との間に延在する、第１の多重極ロッドセットとを備えることができる。第２の多重極ロッドセットは、第１の端部と第２の端部との間に延在することができ、第２のロッドセットに対して第１のロッドセットによって呈されるｑ値の比率は、任意のｍ／ｚに対して、１を上回る。本システムはまた、第１および第２のロッドセットに結合され、（ｉ）ＲＦ軸方向閉じ込め場を第１および第２のロッドセットのそれぞれ内に生成するように、ＲＦ波形を第１および第２のロッドセットのうちの少なくとも１つに印加し、ＲＦ軸方向閉じ込め場は、第１と第２のロッドセットとの間の相互作用領域内で相互作用し、漏れ電場を生成し、（ｉｉ）障壁場を第２のロッドセットの第２の端部において発生させ、（ｉｉｉ）ＤＣ電位を第１と第２のロッドセットとの間に発生させ、（ｉｖ）補助ＡＣ波形を第２のロッドセットに印加し、それによって、補助ＡＣ波形は、励起されたイオンの少なくとも一部が、第２のロッドセットの第２の端部に向かって戻るよう漏れ電場によって反発されるように、障壁場からはね返されたイオンを励起させるように構成される、コントローラを備えることができる。本システムはまた、第２のロッドセットの第２の端部から射出されるイオンを検出するための検出器を備えることができる。
【００１７】
種々の側面では、はね返されたイオンの少なくとも一部は、第１のロッドセットから射出されることができる。いくつかの側面では、該励起されたイオンの少なくとも一部は、該第１のロッドセットに射出される。いくつかの実施形態では、補助励起信号は、実質的に、選択されたｍ／ｚを有するイオンの永年周波数に一致する周波数を有する、補助ＡＣ波形を含むことができる。一例として、補助ＡＣ波形は、双極励起場を発生させることができる。いくつかの側面では、第２のロッドセット内のＲＦ軸方向閉じ込め場は、第２の漏れ電場を生成するように、第２のロッドセットの第２の端部に隣接する抽出領域内の障壁場と相互作用することができ、補助ＡＣ波形は、選択的に、選択されたｍ／ｚを有するイオンの少なくとも一部を第２のロッドセットの第２の端部から射出するように構成される。種々の実施形態では、選択されたｍ／ｚを有するイオンは、漏れ電場によって反発されることができる。
【００１８】
いくつかの側面では、コントローラは、ＲＦ軸方向閉じ込め場を第１および第２のロッドセットのそれぞれ内に生成するように、同じＲＦ波形を第１および第２のロッドセットのそれぞれに印加するように構成されることができる。種々の実施形態では、第１および第２のロッドセットは、中心軸に沿って軸方向に整合されることができる。いくつかの側面では、中心軸と第１のロッドセットのロッドとの間の距離は、中心軸と第２のロッドセットのロッドとの間の距離未満であることができる。
【００１９】
本出願人の教示の種々の実施形態の一側面によると、コントローラは、第１のＲＦ波形を第１のロッドセットに印加し、ＲＦ軸方向閉じ込め場を第１のロッドセット内に生成し、異なる第２のＲＦ波形を第２のロッドセットに印加するように構成されることができる。種々の側面では、第１のＲＦ波形は、第２のＲＦ波形より大きい振幅を有することができる。いくつかの実施形態では、第１のＲＦ波形は、第２のＲＦ波形より小さい周波数を有することができる。いくつかの側面では、コントローラは、漏れ電場を変調させるように、該ＤＣ電位を調節するように構成されることができる。
【００２０】
種々の実施形態では、選択されたｍ／ｚを有するイオンに対して、第１のロッドセットに対するｑ値は、第２のロッドセットに対するｑ値を上回ることができる。いくつかの側面では、第１のロッドセットのｑ値と第２のロッドセットのｑ値の比率は、約１．１〜約１．３の範囲内であることができる。
【００２１】
本出願人の教示のこれらおよび他の特徴が、本明細書に記載される。
本発明は、例えば、以下を提供する。
（項目１）
多重極イオントラップ内でイオンを処理するための方法であって、
イオンを第２の多重極ロッドセットと縦一列に位置付けられた第１の多重極ロッドセットに導入するステップであって、各ロッドセットは、第１の端部および第２の端部を有し、前記イオンは、前記第１のロッドセットの前記第１の端部を通して、前記第１および第２のロッドセットに導入される、ステップと、
前記イオンを半径方向に閉じ込めるように、ＲＦ場を前記第１および第２のロッドセット内に発生させるステップであって、前記第１および第２のロッドセット内の前記ＲＦ場は、前記第１のロッドセットの前記第２の端部と前記第２のロッドセットの前記第１の端部との間の相互作用領域内で相互作用し、漏れ電場を生成する、ステップと、
前記イオンの少なくとも一部を前記第２のロッドセットの前記第２の端部から、前記第１のロッドセットに向かってはね返すように、障壁場を前記第２のロッドセットの前記第２の端部において発生させるステップと、
励起されたイオンの少なくとも一部が、前記漏れ電場によって、前記第２のロッドセットの前記第２の端部に向かって戻るよう反発されるように、前記はね返されたイオンを前記第２のロッドセット内で励起させるステップと
を含む、方法。
（項目２）
前記はね返されたイオンの少なくとも一部は、前記第１のロッドセットに射出される、項目１に記載の方法。
（項目３）
前記励起されたイオンの少なくとも一部は、前記第１のロッドセットに射出される、項目２に記載の方法。
（項目４）
前記はね返されたイオンを励起させるステップは、選択されたｍ／ｚを有するイオンを共鳴励起させるように、補助励起信号を前記第２のロッドセットに印加するステップを含み、前記補助励起信号は、実質的に、前記選択されたｍ／ｚを有する前記イオンの永年周波数に一致する周波数を有する、補助ＡＣ波形を含み、前記補助ＡＣ波形は、双極励起場を発生させ、前記選択されたｍ／ｚを有する前記イオンは、前記漏れ電場によって反発される、項目１に記載の方法。
（項目５）
前記第２のロッドセット内の前記ＲＦ場は、前記第２のロッドセットの前記第２の端部に隣接する抽出領域内の前記障壁場と相互作用し、第２の漏れ電場を生成し、前記補助ＡＣ波形は、選択的に、前記選択されたｍ／ｚを有する前記イオンの少なくとも一部を前記第２のロッドセットの前記第２の端部から射出し、前記障壁場は、ＤＣ場である、項目４に記載の方法。
（項目６）
前記ＲＦ場を前記第１および第２のロッドセット内で発生させるステップは、同じＲＦ波形を前記第１および第２のロッドセットのそれぞれに印加するステップを含み、前記第１および第２のロッドセットは、中心軸に沿って軸方向に整合され、前記中心軸と前記第１のロッドセットのロッドとの間の距離は、前記中心軸と前記第２のロッドセットのロッドとの間の距離未満である、項目１に記載の方法。
（項目７）
前記ＲＦ場を前記第１および第２のロッドセット内で発生させるステップは、第１のＲＦ波形を前記第１のロッドセットに、第２のＲＦ波形を前記第２のセットに印加するステップを含み、前記第１および第２のＲＦ波形は、異なり、前記第１のＲＦ波形は、前記第２のＲＦ波形より大きい振幅を有し、前記第１および第２の多重極ロッドセットは、第１および第２の四重極ロッドセットを備える、項目１に記載の方法。
（項目８）
選択されたｍ／ｚを有するイオンに対して、前記第１のロッドセットに対するｑ値は、前記第２のロッドセットに対するｑ値を上回る、項目１に記載の方法。
（項目９）
前記第１のロッドセットのｑ値と前記第２のロッドセットのｑ値の比率は、約１．１〜約１．３の範囲内である、項目８に記載の方法。
（項目１０）
ＤＣ電位を前記第１と第２のロッドセットとの間で発生させるステップをさらに含み、前記ＤＣ電位を調節し、前記漏れ電場を変調させるステップをさらに含む、項目１に記載の方法。
（項目１１）
多重極イオントラップ内でイオンを処理するための方法であって、 
ＲＦ半径方向閉じ込め場を縦一列に位置付けられた第１および第２の多重極ロッドセット内に発生させるステップであって、前記第１のロッドセットに対して、前記第２のロッドセットによって呈されるｑ値の比率は、任意のｍ／ｚに対して、１を上回り、前記第１および第２のロッドセット内の前記ＲＦ軸方向閉じ込め場は、漏れ電場を生成するように、前記第１と第２のロッドセットとの間の相互作用領域内で相互作用する、ステップと、
前記第１のロッドセットを通して、前記第２のロッドセットに向かってイオンを伝送するステップと、
増加した半径方向振動振幅を有するイオンの少なくとも一部が、前記漏れ電場によって反発されるように、前記第１のロッドセット内のイオンの少なくとも一部の半径方向振動振幅を増加させるステップと
を含む、方法。
（項目１２）
前記第１のロッドセットを通して伝送されるイオンの少なくとも一部は、前記励起されるイオンの励起の間、前記第２のロッドセットに軸方向に射出される、項目１１に記載の方法。
（項目１３）
前記ｑ値の比率は、約１．１〜約１．３の範囲内である、項目１１に記載の方法。
（項目１４）
前記半径方向振動振幅を増加させるステップは、前記第１のロッドセット内の前記イオンの少なくとも一部を共鳴励起させるステップを含み、前記第１のロッドセット内の前記イオンの少なくとも一部を共鳴励起させるステップは、補助励起信号を前記第１のロッドセットに印加するステップを含み、前記補助励起信号は、実質的に、選択されたｍ／ｚを有するイオンの永年周波数に一致する周波数を有する、補助ＡＣ波形を含む、項目１１に記載の方法。
（項目１５）
質量分析計システムであって、
イオン源と、
第１の端部と第２の端部との間に延在する、第１の多重極ロッドセットであって、前記第１の端部は、前記イオン源からイオンを受け取るためのものである、第１の多重極ロッドセットと、
第１の端部と第２の端部との間に延在する、第２の多重極ロッドセットであって、前記第２のロッドセットに対して前記第１のロッドセットによって呈されるｑ値の比率は、任意のｍ／ｚに対して、１を上回る、第２の多重極ロッドセットと、
前記第１および第２のロッドセットに結合されたコントローラであって、
（ｉ）ＲＦ軸方向閉じ込め場を前記第１および第２のロッドセットのそれぞれ内に生成するように、ＲＦ波形を前記第１および第２のロッドセットのうちの少なくとも１つに印加することであって、前記ＲＦ軸方向閉じ込め場は、前記第１と第２のロッドセットとの間の相互作用領域内で相互作用し、漏れ電場を生成する、ことと、
（ｉｉ）障壁場を前記第２のロッドセットの前記第２の端部において発生させることと、
（ｉｉｉ）ＤＣ電位を前記第１と第２のロッドセットとの間に発生させることと、
（ｉｖ）補助ＡＣ波形を前記第２のロッドセットに印加することであって、それによって、前記補助ＡＣ波形は、励起されたイオンの少なくとも一部が、前記漏れ電場によって、前記第２のロッドセットの前記第２の端部に向かって戻るよう反発されるように、前記障壁場からはね返されたイオンを励起させる、ことと
を行うように構成される、コントローラと、
前記第２のロッドセットの前記第２の端部から射出されるイオンを検出するための検出器と
を備える、システム。
（項目１６）
前記励起されたイオンの少なくとも一部は、前記第１のロッドセットに射出される、項目１５に記載のシステム。
（項目１７）
前記補助励起信号は、実質的に、選択されたｍ／ｚを有するイオンの永年周波数に一致する周波数を有する、補助ＡＣ波形を含み、前記補助ＡＣ波形は、双極励起場を発生させ、前記第２のロッドセット内の前記ＲＦ軸方向閉じ込め場は、第２の漏れ電場を生成するように、前記第２のロッドセットの前記第２の端部に隣接する抽出領域内の前記障壁場と相互作用し、前記補助ＡＣ波形は、選択的に、前記選択されたｍ／ｚを有する前記イオンの少なくとも一部を前記第２のロッドセットの前記第２の端部から射出するように構成され、前記選択されたｍ／ｚを有する前記イオンは、前記漏れ電場によって反発される、項目１５に記載のシステム。
（項目１８）
前記コントローラは、ＲＦ軸方向閉じ込め場を前記第１および第２のロッドセットのそれぞれ内に生成するように、同じＲＦ波形を前記第１および第２のロッドセットのそれぞれに印加するように構成され、前記第１および第２のロッドセットは、中心軸に沿って軸方向に整合され、前記中心軸と前記第１のロッドセットのロッドとの間の距離は、前記中心軸と前記第２のロッドセットのロッドとの間の距離未満である、項目１５に記載のシステム。
（項目１９）
前記コントローラは、第１のＲＦ波形を前記第１のロッドセットに印加し、ＲＦ軸方向閉じ込め場を前記第１のロッドセット内に生成し、異なる第２のＲＦ波形を前記第２のロッドセットに印加するように構成され、前記第１のＲＦ波形は、前記第２のＲＦ波形より大きい振幅を有し、前記コントローラは、前記漏れ電場を変調させるように、前記ＤＣ電位を調節するように構成される、項目１５に記載のシステム。
（項目２０）
前記第１のロッドセットのｑ値と前記第２のロッドセットのｑ値の比率は、約１．１〜約１．３の範囲内である、項目１５に記載のシステム。
【図面の簡単な説明】
【００２２】
当業者は、以下に説明される図面が、例証目的にすぎないことを理解するであろう。図面は、本出願人の教示の範囲をいかようにも限定することを意図しない。
【図１】図１は、概略図として、本出願人の教示の種々の実施形態の一側面による、縦一列に位置付けられた２つの多重極ロッドセットを有する、イオン抽出システムを描写する。
【図２Ａ】図２Ａは、図１のイオン抽出システム内で発生された逆漏れ電場を実証する、シミュレーションを描写する。
【図２Ｂ】図２Ｂは、図１のイオン抽出システム内の０．２ｍｍの初期半径方向変位を有するイオンのシミュレートされた経路を描写する。
【図２Ｃ】図２Ｃは、図１のイオン抽出システム内の０．２ｍｍの初期半径方向変位を有するイオンのシミュレートされた経路を描写する。
【図３】図３は、概略図として、本出願人の教示の種々の実施形態の一側面による、イオン抽出システムを備える、ＱＴＲＡＰ  Ｑ−ｑ−Ｑ線形イオントラップ質量分析計システムを図示する。
【図４】図４は、概略図として、図３のイオン抽出システムの種々の側面を描写する。
【図５Ａ】図５Ａは、概略図として、図４のイオン抽出システムの種々の側面による、非共鳴イオンの射出を描写する。
【図５Ｂ】図５Ｂは、概略図として、図４のイオン抽出システムの種々の側面による、標的イオンの
【図６】図６は、本出願人の教示の種々の実施形態の一側面による、「逆」漏れ電場の選択的印加を実証する、データおよび対応する概略図を描写する。
【図７】図７は、本出願人の教示の種々の実施形態の一側面による、「逆」漏れ電場の使用を伴う、低励起振幅におけるイオン伝送の改良を実証する、データおよび対応する概略図を描写する。
【図８】図８Ａは、本出願人の教示の種々の実施形態の一側面による、ｍ／ｚ＝３３８を伴うイオンの単離を実証する、データを描写する。図８Ｂは、ｍ／ｚ＝３３８を伴うイオンのための従来の単離技法を実証する、データを描写する。
【発明を実施するための形態】
【００２３】
明確にするために、以下の議論は、本出願人の教示の実施形態を詳説するが、そうすることが便宜的または適切である場合、ある具体的詳細を省略することを理解されたい。例えば、代替実施形態における同様または類似特徴の議論は、多少、簡略化され得る。公知の発想または概念はまた、簡潔にするために、あまり詳細に論じられない場合がある。当業者は、本出願人の教示の実施形態が、実施形態の完全な理解を提供するためだけに本明細書に記載される、具体的に説明された詳細の一部をすべての実装において要求しなくてもよいことを認識するであろう。同様に、説明される実施形態は、本開示の範囲から逸脱することなく、共通一般知識に従って、若干の変更または変形例を許容可能であってもよいことが明白であろう。以下の発明を実施するための形態は、本出願人の教示をいかようにも限定するものと見なされない。
【００２４】
多重極イオントラップ内でイオンを処理するための方法およびシステムが、本明細書に提供される。本出願人の教示の種々の側面によると、本方法およびシステムは、標的イオンの持続的単離および／または励起ならびに望ましくない不純物イオンの同時射出を可能にすることができる。種々の側面では、本出願人の教示による方法およびシステムは、改良された質量選択性を可能にすることができる。
【００２５】
次に図１を参照すると、本出願人の教示の種々の側面による、例示的イオン抽出デバイス１００が、図式的に図示される。イオン抽出システム１００は、本明細書に説明されるシステム、デバイス、および方法の種々の側面に従って使用するための１つのみの可能性として考えられる構成を表す。図１に示されるように、イオン抽出システム１００は、縦一列に位置付けられ、中心軸（Ａ）に沿って軸方向に整合される、２つの四重極ロッドセット１２０、１４０を含むことができる。ロッドセット１２０、１４０は、概して、本明細書では、四重極（すなわち、４つのロッドを有する）と称されるが、当業者は、本出願人の教示による方法およびデバイスは、任意の他の好適な多重極構成、例えば、六重極、八重極等を有するロッドセットを利用することができることを理解するであろう。また、本教示は、同じ第１および第２のロッドセットの使用に限定されないことを理解されたい。すなわち、１つのロッドセットは、あるタイプの多重極ロッドセット（例えば、四重極）であることができる一方、他のロッドセットは、異なるタイプの多重極ロッドセット（例えば、六重極）であることができる。図１に示されるように、複数のイオン１０２が、ロッドセット１２０の第１の端部１２０ａに導入され、ロッドセット１４０に向かって伝送されることができる。当業者は、種々の上流構成要素が、例えば、ロッドセット１２０に入射するにつれて、イオン１０２の移動および／またはエネルギーを制御するように構成されることができることを理解するであろう。
【００２６】
１つ以上のＲＦ電圧源１０４は、ＲＦ電位をロッドセット１２０、１４０のそれぞれのロッドに印加し、当技術分野において公知の様式において、イオン１０２をロッドセット１２０、１４０内に半径方向に捕捉するように構成されることができる。種々の実施形態では、ロッドセット１２０、１４０は、ロッドセットのうちの一方へのＲＦ電位の印加が、加えて、半径方向捕捉電位を他方のロッドセット内に発生させるように有効であり得るように容量結合されることができる。代替として、種々の実施形態では、ロッドセットのそれぞれが、個別のＲＦ波形をその専用ＲＦ源から受信し得るように、別個のＲＦ源が、ロッドセット１２０、１４０のそれぞれに対して採用されることができる。種々の実施形態では、第１および第２のロッドセットに印加されるＲＦ波形は、同一の周波数を有し、振幅が異なり得る。
【００２７】
種々の実施形態では、ロッドセット１２０、１４０内で発生されるＲＦ場は、相互に対して異なり得る。タンデムロッドセット１２０、１４０の近接性のため、ロッドセット１２０、１４０によって発生される可変ＲＦ場は、第１のロッドセット１２０の第２の端部１２０ｂおよび第２のロッドセット１４０の第１の端部１４０ａに隣接する相互作用領域１３０内で相互作用し、個別のＲＦ場内の相互外乱のため、完全に四重極ではない場を生成し得る。一般に、漏れ電場と称される、本相互作用によって発生される、そのような場は、イオン運動の軸方向および半径方向成分を結合し得る。以下に詳細に論じられるように、ロッドセット１２０、１４０間に発生される漏れ電場は、本出願人の教示の種々の側面に従って利用され、小半径方向振動振幅を有するイオンをロッドセット１２０からロッドセット１４０に軸方向に射出させる一方、ロッドセット１２０内に大半径方向振動振幅を有するイオンを反発（例えば、捕捉）し、したがって、漏れ電場近傍の第１のロッドセット内のイオンの半径方向振動振幅に依存する障壁場を提供することができる。
【００２８】
当業者によって理解されるであろうように、異なるＲＦ場が、種々の様式において、ロッドセット１２０、１４０内に発生されることができる。一例として、ロッドセット１２０、１４０のそれぞれに印加されるＲＦ波形は、相互に対して振幅または周波数が変動し得る。加えて、または代替として、ロッドセット１２０、１４０の物理的幾何学形状も、相互に対して異なり得る。種々の側面では、異なるＲＦ場は、ロッドセット１２０、１４０のそれぞれに対する異なるｑ値によって特徴付けられ得る。
【００２９】
当業者によって理解されるであろうように、ＲＦ半径方向捕捉電位が、四重極ロッドセットに印加されると、マシュー安定性パラメータｑは、以下のように定義されることができる。
【数１】
0006321546.tif 000002
式中、
Ｖｒｆは、ロッドに印加されるＲＦ電圧を示し、
Ωは、ＲＦ電圧の角周波数を示し、
ｍは、イオンの質量を示し、
Ｚｅは、イオン電荷を示し、
２ｒ０は、ロッドと中心軸との間の距離であって、
ｋは、当技術分野において公知の様式におけるＶｒｆの定義に依存する、定数である。
【００３０】
故に、図１に描写されるイオン抽出システム１００では、ロッドセット１２０、１４０内の異なるＲＦ場は、以下のように、任意の所与のｍ／ｚおよび角周波数に対して、ロッドセット１４０内のｑ値（ｑ１４０）に対するロッドセット１２０内のｑ値（ｑ１２０）の比率によって特徴付けられ得る。
【数２】
0006321546.tif 000003
【００３１】
本出願人の教示の種々の側面によると、ロッドセット１２０、１４０は、ｑ１２０とｑ１４０の非１の比率を呈し得る。一例として、ｑ１２０とｑ１４０の比率は、１未満であり得る（すなわち、ロッドセット１２０は、ロッドセット１４０を下回るｑ値を有し得る）。さらに、式２の検討は、ｑ１２０とｑ１４０の非１の比率が、種々の様式で取得され得ることを示す。前述のように、例えば、ロッドセット１２０に印加されるＲＦ波形の振幅（Ｖｒｆ１２０）は、ｑ１２０とｑ１４０の比率が、１未満であるように、全ての他のパラメータは、等しいが、ロッドセット１４０に印加されるＲＦ波形の振幅（Ｖｒｆ１４０）未満であり得る。同様に、各ロッドセットのロッド間の距離（例えば、ｒ０，１２０）は、ｑ１２０とｑ１４０の比率を変更するように、全ての他のパラメータは、等しいが、異なり得る。さらに、当業者は、ロッドセットに印加されるＲＦ波形の振幅および各ロッドセットのロッド間の距離が両方とも、ｑ１２０とｑ１４０の比率を変更するために異なり得ることを理解するであろう。
【００３２】
例示的実施形態では、図１に描写されるように、ロッドセット１４０のｑ値は、ロッドセット１４０内のロッド間の距離を減少させることによって、全ての他のパラメータは、等しいが、ロッドセット１２０のものに対して増加され得る。すなわち、同じＲＦ波形が、ロッドセット１２０、１４０の両方に印加され得るが、ロッドセット１２０のものに対して中心軸（Ａ）からのロッドセット１４０のロッド間の距離の減少は、ｑ１２０より大きいｑ１４０をもたらし得る。
【００３３】
加えて、イオン抽出システム１００は、ロッドセット１２０内のイオンの少なくとも一部の半径方向振動振幅を増加させるように、ロッドセット１２０内のイオンを励起させるように構成されることができる。当業者によって理解されるであろうように、イオンは、イオン−分子反応（例えば、イオン解離）およびイオン−イオン反応を介して、補助励起信号の印加を通してを含め、種々の機構を使用して励起され得る。種々の実施形態では、例えば、イオン抽出システムは、補助ＡＣ源１０８を含み、補助ＡＣ場をロッドセット１２０内に発生させることができる。当業者によって理解されるであろうように、補助ＡＣ信号の周波数は、選択されたｍ／ｚのイオンを共鳴励起させるように選択されることができる。一例として、補助ＡＣ信号は、実質的に、選択されたイオンの永年周波数（ω０）に対応する周波数を有することができ、ω０＝βΩ／２であって、当技術分野において公知のように、Ωは、ＲＦ駆動の角周波数であって、βは、マシュー安定性パラメータａおよびｑの関数である。故に、補助ＡＣ場は、優先的に、選択されたｍ／ｚのイオンを励起させ、それによって、選択されたｍ／ｚを有していないイオンに対して、ロッドセット１２０内のその半径方向振動振幅を増加させることができる。当業者によって理解されるであろうように、選択されたｍ／ｚを有していないイオンは、選択されたｍ／ｚのイオンに対して、ロッドセット１２０の中心軸を中心として比較的に半径方向に閉じ込められたままであることができる。
【００３４】
図１に示されるように、イオン抽出システム１００は、加えて、以下に詳細に論じられるように、ＤＣ電源１０６を含み、ＤＣ電位をロッドセット１２０、１４０間に印加し、ロッドセット１２０、１４０間のイオンの通路を変調させ得る、ＤＣ障壁を発生させることができる。一例として、ＤＣ源１０６は、ＤＣ電位を２つのロッドセット１２０、１４０を横断して印加することができ、または代替として、いくつかの実施形態では、１つ以上のＤＣ源が、ロッドセット１２０をあるＤＣ電圧に、およびロッドセット１４０を異なるＤＣ電圧に維持することができる。
【００３５】
次に図２Ａ−２Ｃを参照すると、例示的イオン抽出システム１００を使用する、種々のイオンの捕捉および抽出の理論的シミュレーションが、縦一列に位置付けられた図１のロッドセット１２０、１４０に対して、以下の例示的パラメータを使用して描写される。ロッドセット１２０のロッドは、中心軸から６．８ｍｍ離間され（ｒ０，１２０＝６．８ｍｍ）、ロッドセット１４０のロッドは、中心軸から５．４ｍｍ離間された（ｒ０，１４０＝５．４ｍｍ）。同じＲＦ波形が、ロッドセット１２０、１４０に印加され、Ｖｒｆ＝１２００Ｖ、Ω／２π＝１ＭＨｚ、およびＲＦ相の開始は、９０度であった。ロッドセット１２０のｑ値は、ｑ１２０＝０．６５であって、第２のロッドセットのｑ値は、ｑ１４０＝０．８５（ｑ１２０：ｑ１４０≒０．７６）であった。ロッドセット１２０、１４０は、０Ｖ  ＤＣに維持された。補助ＡＣ波形は、これらのシミュレーションの間、ロッドセット１２０、１４０に印加されなかった。シミュレーションは、Ｓｃｉｅｎｔｉｆｉｃ  Ｉｎｓｔｒｕｍｅｎｔ  Ｓｅｒｖｉｃｅｓ，  Ｉｎｃ．（Ｎ．Ｊ．，  Ｕ．Ｓ．Ａ）によって市販のＳＩＭＩＯＮシミュレーションソフトウェアを使用して行なわれた。
【００３６】
図２Ａを具体的に参照すると、プロットは、ロッドセット１２０、１４０によって印加されるＲＦ捕捉電位によって発生される等電位表面を示す。相互作用領域１３０では、ロッドセット１２０、１４０によって発生されたＲＦ場は、相互作用領域１３０内の湾曲等電位表面によって示されるように、漏れ電場１３２を発生させるように相互作用することが示される。前述のように、これらの漏れ電場１３２は、イオン運動の軸方向および半径方向成分を結合し得る。減少場強度を有する漏れ電場は、共鳴励起されたイオンを抽出するために使用されることができるが（例えば、質量選択的軸方向射出）、図２に示されるように、左から右に第１のロッドセット１２０を横断するイオンによって被られる「逆」漏れ電場の増加場強度は、本明細書のその他の場所で論じられるように、共鳴励起されたイオンをはね返すのに有効であり得る。
【００３７】
図２ＡのＲＦ場のイオン移動に及ぼす効果は、図２Ｂおよび２Ｃのシミュレーションにおいて実証される。ロッドセット１２０からのイオンの軸方向射出（すなわち、ロッドセット１２０からロッドセット１４０へのイオンの軸方向伝送）が、中心軸からのイオンの種々の初期変位で試験された。同じカチオン（ｍ／ｚ５００）が、同じエネルギー（３ｅＶ）を伴って、ロッドセット１２０の入力オリフィス１２０ａに入射したが、図２Ｂは、ｒｉｎｉｔ＝０．２ｍｍの初期変位を有するイオン１０２ｂの１００％が、ロッドセット１４０に射出されたことを実証する一方、図２Ｃは、初期変位ｒｉｎｉｔ＝２．０ｍｍを有するイオン１０２ｃの１００％が、ロッドセット１４０に入射しないように防止された（例えば、ロッドセット１２０内に捕捉された）ことを示す。すなわち、中心軸から比較的に小変位を有するイオン１０２ｂのみ、相互作用領域１３０を通して進行し得る一方、タンデムロッドセット１２０、１４０のＲＦ場の相互作用によって発生された「逆漏れ電場」は、比較的に大半径方向変位を有するイオン１０２ｃを反発させるのに有効であった。
【００３８】
図２Ｂおよび２Ｃに実証される異なる半径方向変位のイオンに及ぼす「逆」漏れ電場の効果に照らして、ロッドセット１２０、１４０は、ロッドセット１２０内のイオンを励起させることによって、選択されたｍ／ｚを有するイオンを単離するように構成されることができる。一例として、実質的に、選択されたｍ／ｚの永年周波数に対応する周波数を有する、補助ＡＣ信号は、例えば、選択されたイオンを共鳴励起させ、それによって、選択されたｍ／ｚを有していないイオンに対して、ロッドセット１２０内のその半径方向振動振幅を増加させるように、第１のロッドセット１２０に印加されることができる。その結果、「逆」漏れ電場は、共鳴励起されたイオンを反発（例えば、大半径方向振動振幅を有するイオンをロッドセット１２０内に捕捉）させるのに有効であり得る一方、より小さい半径方向振動振幅を有する共鳴励起されていないイオン（例えば、軸上またはその近傍を進行するイオン）は、「逆」漏れ電場によって大きく影響を受けないままであって、ロッドセット１２０から射出（すなわち、ロッドセット１４０に伝送される）されることができる。
【００３９】
当業者によって理解されるであろうように、前述の例示的イオン抽出システムは、本出願人の教示に従って修正された種々の公知の質量分析計システムにおいて利用されることができる。例えば、次に図３を参照すると、本出願人の本教示の種々の側面を組み込む、例示的質量分析計システム１０が、描写される。
【００４０】
図３に描写される例示的実施形態では、質量分析計システムは、概して、Ｈａｇｅｒ  ａｎｄ  ＬｅＢｌａｎｃ  ｉｎ  Ｒａｐｉｄ  Ｃｏｍｍｕｎｉｃａｔｉｏｎｓ  ｏｆ  Ｍａｓｓ  Ｓｐｅｃｔｒｏｍｅｔｒｙ  ２００３，  １７，  １０５６−１０６４によって説明され、本明細書の教示に従って修正されるようなＱＴＲＡＰ  Ｑ−ｑ−Ｑ線形イオントラップ質量分析計システム１０を備えることができる。質量分析計システム１０は、例えば、イオン源１２、検出器１４、およびその間に位置する質量分析セクション１６を含むことができる。イオン源１２は、事実上、当技術分野において公知の任意のイオン源であることができる。一例として、イオン源は、とりわけ、連続イオン源、パルスイオン源、大気圧化学イオン化（ＡＰＣＩ）源、エレクトロスプレーイオン化（ＥＳＩ）源、誘導結合プラズマ（ＩＣＰ）イオン源、マトリクス支援レーザ脱離／イオン化（ＭＡＬＤＩ）イオン源、グロー放電イオン源、電子衝突イオン源、化学イオン化源、または光イオン化イオン源であることができる。同様に、検出器１４は、事実上、当技術分野において公知の任意の検出器であることができる。
【００４１】
当業者によって理解されるであろうように、質量分析セクション１６は、その質量別にイオンを分離し、および／またはさらなる反応（例えば、試料源によって発生されるイオンの断片化）を行なうために、１つ以上の質量分析器を含むことができる。非限定的実施例として、例示的質量分析セクション１６は、図３に示されるように、４つの四重極質量分析器：Ｑ０、Ｑ１、Ｑ２、およびＱ３を備えることができる。四重極ロッドセットのうちの任意の１つは、本出願人の教示の種々の側面に照らして修正されることができるが、図３に描写される例示的実施形態では、付加的四重極ロッドセットＳＴが、直接、上流に、Ｑ１と縦一列に位置付けられ、その組み合わせは、本明細書では、ＳＴ＋Ｑ１  １００’と称される。ロッドセットＱ０、ＳＴ、Ｑ１、Ｑ２、およびＱ３は、概して、本明細書では、便宜上、四重極（すなわち、４つのロッドを有する）と称されるが、任意の他の好適な多重極構成、例えば、六重極、八重極等を有することができる。
【００４２】
種々のロッドセットＱ０、ＳＴ＋Ｑ１  １００’、Ｑ２、およびＱ３が、例えば、開口レンズＩＱ１、ＩＱ２、およびＩＱ３によって分離される、隣接するチャンバ内に配置されることができ、当技術分野において公知のように、低大気圧まで減圧される。出口レンズ１８は、Ｑ３と検出器１４との間に位置付けられ、検出器１４へのイオン流を制御することができる。当業者によって理解されるであろうように、質量分析計システム１０の種々の構成要素は、コントローラ（図示せず）および１つ以上の電源（図示せず）と結合され、特定のＭＳ用途に応じて、種々の異なる動作モードのために四重極ロッドセットを構成するように選択されたＡＣ、ＲＦ、および／またはＤＣ電圧を受電することができる。一例として、イオンは、ロッドセットによって印加されるＲＦ電圧によって、Ｑ０、ＳＴ＋Ｑ１  １００’、Ｑ２、およびＱ３のいずれかに、半径方向に捕捉され、質量分析計の種々の構成要素に印加される種々のＡＣ、ＲＦ、および／またはＤＣ電圧の印加を通して、軸方向に捕捉されることができる。
【００４３】
質量分析計１０の動作の間、イオン源１２によって発生されるイオンは、オリフィス板およびスキム板（図示せず）内の開口を連続的に通過し、狭小かつ非常に集束したイオンビームをもたらすことによって、コヒーレントイオンビーム中に抽出されることができる。イオンビームは、次いで、Ｑ０に入射し、これは、イオンガイド、例えば、その中に位置するイオンを衝突冷却することによって、衝突集束イオンガイドとして動作されることができる。種々の実施形態では、Ｑ０は、着目イオンおよび／または着目イオンの範囲を選択するように動作され得る、従来の伝送ＲＦ／ＤＣ四重極質量フィルタとして動作されることができる（例えば、通過帯域フィルタ）。
【００４４】
Ｑ０を通過後、ＳＴ＋Ｑ１  １００’に入射するイオンは、本出願人の教示の種々の側面に従って、高分解能抽出ステップを受け得る。一例として、ＳＴおよびＱ１内で発生されるＲＦ場間の相互作用から生じる漏れ電場は、図１および２Ａ−２Ｃを参照して前述のように、小半径方向振動振幅を有するイオンを比較的に大半径方向振動振幅を有するものから分離するのに有効であり得る。図３に描写される例示的実施形態では、四重極ロッドセットＳＴ、Ｑ１の配向が、前述のイオン抽出デバイス１００に対して逆であることを理解されたい。すなわち、図３に描写される概略では、ロッドセットＳＴは、任意のｍ／ｚに対して、Ｑ１のものより高いｑ値を呈し得る（例えば、ロッドセットＳＴのロッド間の距離は、ロッドセットＱ１のロッド間の距離未満である）。以下に詳細に論じられるように、ＳＴ＋Ｑ１  １００’は、さらなる下流処理のために、共鳴励起された標的イオンの捕捉および／または抽出を可能にすることができる。
【００４５】
一例として、図３を継続して参照すると、標的イオンは、ＳＴ＋Ｑ１  １００’から、示されるように、加圧された区画内に配置され、衝突セルとして動作するように構成されることができる、Ｑ２に伝送されることができる。好適な衝突ガス（例えば、アルゴン、窒素、ヘリウム等）が、ガス入口（図示せず）を経由して提供され、イオンビーム中のイオンを断片化および／または熱運動化させることができる。Ｑ２内では、標的イオンは、例えば、衝突誘起解離および／またはイオン−イオン反応を含む、種々のプロセスを受け得るが、Ｑ２の他の動作モードも、利用されることができる（例えば、ＲＦ専用イオン伝送モードにおいて）。前駆体標的イオンおよび／または生成イオンは、Ｑ２によって、例えば、走査ＲＦ／ＤＣ四重極、四重極イオントラップ、または線形イオントラップとして、いくつかの様式で動作され得る、隣接する四重極ロッドセットＱ３に伝送されることができる。非限定的実施例として、Ｑ３内に捕捉されるイオンは、米国特許第６，１７７，６６８号「Ａｘｉａｌ  Ｅｊｅｃｔｉｏｎ  ｉｎ  ａ  Ｍｕｌｔｉｐｏｌｅ  Ｍａｓｓ  Ｓｐｅｃｔｒｏｍｅｔｅｒ」（参照することによって全体として本明細書に組み込まれる）に詳細に説明されるように、質量選択的軸方向射出（ＭＳＡＥ）を介して、出口レンズＥＸを通して、検出器１４に質量選択的に走査されることができる。
【００４６】
次に図４を参照すると、イオン抽出システムＳＴ＋Ｑ１  １００’の概略が、より詳細に描写され、イオンは、左から（例えば、図３に描写される質量分析計システム１０内のＱ０から）ＳＴに導入される。図４に描写されるように、ロッドセットＳＴ＋Ｑ１は、縦一列に位置付けられることができる。出口レンズＩＱ２は、ロッドセットＱ１の下流端に隣接して配置される。ＲＦ電圧源１０４’は、イオンをＳＴ、Ｑ１内に半径方向に閉じ込めるように、ＳＴに容量結合され得る、Ｑ１にＲＦ電位を印加するように構成されることができる。前述のように、ロッドセットＳＴ、Ｑ１のＲＦ半径方向閉じ込め場は、その相互作用が、漏れ電場を発生させ得るように、相互に対して異なることができる。種々の実施形態では、ロッドセットＳＴ、Ｑ１内の異なるＲＦ場は、例えば、ｑＳＴとｑＱ１の非１の比率によって特徴付けられ得る。一例として、ｑＳＴとｑＱ１の比率は、１を上回ることができる（すなわち、ロッドセットＳＴは、ロッドセットＱ１を上回るｑ値を有することができる）。種々の例示的実施形態では、ｑＳＴとｑＱ１の比率は、約１．１〜約１．３の範囲内であることができる。例示的実施形態では、図４に描写されるように、ロッドセットＳＴ、Ｑ１に印加されるＲＦ電位は、同じであって、ＳＴのｑ値は、ロッドセットＳＴ内のロッド間の距離を減少させることによって、Ｑ１に対して増加される。
【００４７】
ｑ値の比率は、分子が、イオンがイオン抽出システム１００およびＳＴ＋Ｑ１  １００’に最初に入射したロッドセットに対応する、本明細書で使用される慣例に基づいて、図１および２Ａ−２Ｃを参照して論じられるものに対して判定されて現れることに留意されたい。
【００４８】
図４に示されるように、ロッドセットＱ１は、加えて、補助ＡＣ源１０８’に結合され、補助ＡＣ場をロッドセットＱ１内に発生させることができる。ロッドセットＳＴは、ロッドセットＳＴをＱ１に対してバイアスＤＣ電位に維持し得る、ＤＣ電源１０６’に結合されることができる。コントローラ１０９’は、種々の構成要素に結合され、例えば、ＲＦ、ＡＣ、およびＤＣ電圧のＳＴ、Ｑ１、およびＩＱ２への印加を制御することができる。
【００４９】
使用時、図５Ａおよび５Ｂの概略に描写されるように、イオンは、上流端からＳＴに導入されることができ、ＳＴは、イオンがＩＱ２に向かってＱ１に（すなわち、左から右に）伝送され得るように、ＲＦ専用伝送モードで動作する。当業者によって理解されるであろうように、障壁電位は、Ｑ１を横断するイオンの少なくとも一部が、ＩＱ２によって、ＳＴに向かって戻るように反発（例えば、反射）されるように、ＩＱ２に印加されることができる。例えば、Ｑ１のロッドに印加される補助ＡＣ信号を介して、Ｑ１内のイオンを励起することは、標的イオンの半径方向振動振幅が増加され得るように、本明細書の別の場所で論じられるように、選択されたｍ／ｚの標的イオンを共鳴励起させるのに有効であり得る。補助ＡＣ波形が、Ｑ１に印加され、双極または四重極励起場を発生させることができることは、当業者によって理解されるであろう。さらに、種々の実施形態では、補助ＡＣ波形は、標的イオンが、ＩＱ２によって反発される前および／または後に励起され得るように、Ｑ１に持続的に印加されることができる。
【００５０】
次に、図５Ａを具体的に参照すると、共鳴励起されない、ＳＴに向かってＱ１を横断するイオンは、Ｑ１から射出される（例えば、ＳＴに伝送される）ことができる。すなわち、補助ＡＣ信号によって十分に励起されておらず、実質的に、ＳＴ＋Ｑ１  １００’の軸に閉じ込められたままである、イオンは、ＳＴにかかるＤＣバイアスによって提供されるＤＣ障壁を克服し、それによって、望ましくないイオンおよびそれと関連付けられた任意の空間電荷効果を排除することができる。
【００５１】
図５Ｂに描写されるように、共鳴励起された標的イオンは、本明細書の別の場所で論じられるように、「逆」漏れ電場によって、ＩＱ２に向かって反発されることができる。当業者によって理解されるであろうように、Ｑ１内に捕捉された標的イオンは、次いで、ＩＱ２の障壁電位を低下させることによって、トラップから伝送されることができる。しかしながら、種々の実施形態では、ＩＱ２障壁電位は、維持されることができ、標的イオンは、図５Ｂに図式的に描写されるように、「逆」漏れ電場とＩＱ２との間に連続的に反射されるにつれて、補助ＡＣ信号からエネルギーを獲得し続けることができる。一例として、反射は、標的イオンの共鳴励起によって、例えば、米国特許第６，１７７，６６８号「Ａｘｉａｌ  Ｅｊｅｃｔｉｏｎ  ｉｎ  ａ  Ｍｕｌｔｉｐｏｌｅ  Ｍａｓｓ  Ｓｐｅｃｔｒｏｍｅｔｅｒ」（参照することによって全体として本明細書に組み込まれる）に説明されるように、例えば、ＩＱ２に隣接するＱ１の抽出領域内の抽出漏れ電場における標的イオンの半径方向運動および軸方向運動の結合を通して、ＩＱ２の出口障壁を克服するために十分な半径方向エネルギーを標的イオンが得ることをもたらすまで、持続することができる。
【００５２】
以前の標的イオン単離技法と異なり、複数の反射による補助ＡＣ信号への標的イオンの暴露の持続時間増加（ある場合には、励起信号の振幅減少）は、実質的に等重イオンからの標的イオンの発散を改善し、それによって、より選択的単離および分解能増加をもたらすことができる。さらに、本準捕捉アプローチは、（１）自動的に、望ましくないイオンを射出し、それによって、空間電荷効果を低減させ、（２）下流保管または分析のために、標的イオンをＱ１から持続的に抽出し、それによって、「自己」空間電荷を減少させ、（３）標的イオンの持続的注入および射出を可能にして、それによって、単離のデューティサイクルを改善することによって、単離の分解能を改善することができる。
【００５３】
当業者は、タンデム四重極が、Ｑ１と併せて描写されるが、本明細書の本出願人の教示は、本明細書に説明されるものおよびその他の当技術分野において公知の例示的質量分析計システム内の種々の他の多重極イオントラップに適用されることができることを理解するであろう。
【００５４】
種々の実施形態では、本出願人の教示の種々の側面による、前述の「逆」漏れ電場は、例えば、ＳＴとＱ１との間のＤＣ電位を調節することによって、選択的に印加されることができる。次に図６を参照すると、プロットは、Ｑ１からＳＴへのイオン伝送の効率を描写し、「逆」漏れ電場が、Ｑ１のものに対して、ＳＴのＤＣ電圧を引力電位に維持することによって、オフにされることができることを実証する。具体的には、図６は、ＳＴに印加されるＤＣバイアス電圧が、３３Ｖ〜約３９Ｖに走査されるにつれて（Ｑ１を３９ＶのＤＣ電圧に、ＩＱ２を４１ＶのＤＣ電圧に維持しながら）、補助励起信号の振幅を変動させることによってＱ１内で励起されたイオンは、Ｑ１からＳＴに伝送されることを実証し、漏れ電場がイオンの移動に干渉しないことを示す。しかしながら、約３９Ｖの電圧が、ＳＴとＱ１との間にＤＣ電位が存在しないようにＳＴに印加されるとき、Ｑ１からＳＴへのイオンの伝送効率は、急降下する。これは、半径方向に励起されたイオンをはね返し、Ｑ１からＳＴへのその伝送を防止するのに有効である、「逆」漏れ電場が発生したことを示す。
【００５５】
次に図７を参照すると、データは、本出願人の教示の種々の側面に従って発生された逆漏れ電場の存在下におけるイオンの伝送の改良を実証する。本明細書の別の場所で論じられるように、逆漏れ電場によって提供される励起持続時間の増加は、減少した振幅の補助ＡＣ励起信号の印加を可能にすることができる。図７は、逆漏れ電場の存在下、システム内のＴＯＦ較正溶液中の約８３０のｍ／ｚを有するペプチドの伝送が、約３１０ｍＶｐ−ｐ〜約１６０ｍＶｐ−ｐの範囲内の補助励起振幅に対して、実質的に、逆漏れ電場がオフのシステムのものと同じ結果を提供することができることを実証する。しかしながら、逆漏れ電場の使用は、各励起振幅におけるプロットの左側のピーク間の差異において実証されるように、約１６０ｍＶｐ−ｐ〜約６２ｍＶｐ−ｐ未満の励起振幅に対して、伝送改良をもたらす。本出願人はさらに、より高い励起振幅に対して、分裂ピークの存在が、標的イオンが過度に励起され、中性ガスとの衝突後、断片化されることを実証することに留意する。本意図されない解離は、例えば、窒素ガス（Ｎ２）より軽い中性緩衝ガスの存在下、より高い振幅を伴う補助ＡＣ励起を行なうことによって、阻害されることができる。一例として、ヘリウムの使用は、高振幅補助励起における衝突誘起断片化を阻害することができる。
【００５６】
次に図８Ａおよび８Ｂを参照すると、それぞれ、逆漏れ電場の存在および不在下、軸方向に励起されるときの３３８のｍ／ｚを有するイオンの伝送の改良を実証する、データが、提示される。データは、ｍ／ｚ＝３３８を伴うイオンの単離を実証する。本例示的実験では、ＩＱ２バイアスは、Ｑ１のロッドに印加される固定補助ＡＣ波形を用いて走査された。水平目盛りは、イオンが補助ＡＣ信号によって励起されるときの伝送率（すなわち、伝送されるイオンとイオンの総数の比率）を描写する。垂直目盛りは、イオンが補助ＡＣ信号によって励起されないときの阻止率（すなわち、総イオンと伝送されたイオンの比率）を描写する。本出願人の教示の種々の側面による、逆漏れ電場を使用するイオンの単離を描写する、図８Ａは、イオンの単離と比較して、改良された分解能を実証する。さらに、データは、約６０％の伝送限界を実証する。任意の特定の理論に高速されるわけではないが、本出願人は、伝送が、出口電極ＩＱ２内の孔のサイズによって制限されると考える。伝送の改良は、したがって、より大きい開口を有する出口電極の使用によって期待されるであろう。
【００５７】
本明細書で使用される見出しは、編成目的にすぎず、説明される主題をいかようにも限定するものと解釈されない。本出願人の教示が、種々の実施形態と併せて説明されたが、本出願人の教示がそのような実施形態に限定されることを意図しない。対照的に、本出願人の教示は、当業者によって理解されるような種々の代替、修正、および均等物を包含する。
【図１】
0006321546.tif 000004
【図２Ａ】
0006321546.tif 000005
【図２Ｂ】
0006321546.tif 000006
【図２Ｃ】
0006321546.tif 000007
【図３】
0006321546.tif 000008
【図４】
0006321546.tif 000009
【図５Ａ】
0006321546.tif 000010
【図５Ｂ】
0006321546.tif 000011
【図６】
0006321546.tif 000012
【図７】
0006321546.tif 000013
【図８】
0006321546.tif 000014